(57)【要約】【課題】レバーの強度を高める構造とする。【解決手段】相手側コネクタ１０の嵌合接続室１２内に、レバー３０を保持したコネクタ２０が挿入され、その後レバー３０を回動させて押し込むことにより相手側コネクタ１０とコネクタ２０とが嵌合し、そのコンタクト同志が互いに接続する構造となっている。レバー３０には、コネクタ２０を外部回路と接続するための接続用電線２２をさけるように、その部分に切り欠き部３１が形成されていて、レバー３０の回動動作範囲を広くするようになっている。またレバー３０は、挿入開始時の初期位置から回動するようになっている。【選択図】図１
2008108467.tif 000002
【特許請求の範囲】
【請求項１】
ハウジングに対して回動可能なレバーを有し、該レバーを特定方向へ回動することによって相手側コネクタと嵌合するレバー式嵌合コネクタであって、前記ハウジングは、コネクタの非嵌合時に前記レバーの前記特定方向への回動を係止するための前記レバーの板厚方向に変位する弾性仮係止片を有し、前記レバーは、嵌合完了時に前記レバーの逆回動を阻止するための爪部と、非嵌合時に前記弾性仮係止片によって前記特定方向への回動を係止される第１の係止片受凹部とを有し、前記弾性仮係止片が前記第１の係止片受凹部に係止している状態で、相手側コネクタとの嵌合を開始すると相手側コネクタの有する弾性仮係止片解除突起によって前記弾性仮係止片の前記第１の係止片受凹部における係止が解除され、嵌合のための前記レバーの前記特定方向への回動が可能となり、嵌合完了時には、前記レバーのいずれの方向への回動も阻止されることを特徴とするレバー式嵌合コネクタ。
【請求項２】
前記レバーは、凹状の切り欠き部と、嵌合完了時に前記弾性仮係止片を収納する第２の係止片受凹部とを有することを特徴とする請求項１記載のレバー式嵌合コネクタ。
【請求項３】
前記レバーが、その内部に嵌合検知用部材を保持し、嵌合時に相手側コネクタの有する嵌合検知用コンタクトが前記レバー内の嵌合検知用部材へ到達する通路を有し、嵌合完了時、相手側コネクタの前記嵌合検知用コンタクトが前記通路を経て前記レバー内の前記嵌合検知用部材へ到達し接触することにより電気的に嵌合完了の信号を発することのできる構造であることを特徴とする請求項１又は請求項２記載のレバー式嵌合コネクタ。
【発明の詳細な説明】
【技術分野】
【０００１】
本発明はレバー式嵌合コネクタに関し、特に相手側コネクタとコネクタとをレバーにより嵌合させて接続する構造のレバー式嵌合コネクタに関する。
【背景技術】
【０００２】
レバー式嵌合コネクタは、ピンコンタクトを配列、固定している外殻型のハウジング内に、ソケットコンタクトを配列したコネクタを挿入して、レバー操作により、相手側コネクタとコネクタとを嵌合させ、これらを電気的に接続するのが一般的である。
【０００３】
この種のレバー式コネクタとしての従来例について、図１１（ａ），（ｂ）を参照しながら説明する。
このレバー式コネクタでは、レバー３０ｘが、相手側コネクタ１０ｘの外殻型の相手ハウジング１１ｘとコネクタ２０ｘのハウジング２１ｘとの間の、コネクタ側のハウジング２１ｘの側面に回動可能なように配設されており、このレバー３０ｘが配設されているコネクタ２０ｘを、相手側コネクタ１０ｘの相手ハウジング１１ｘ内に挿入した後、レバー３０ｘを回転させることにより、相手側コネクタ１０ｘとコネクタ２０ｘとを嵌合させ、これらを電気的に接続する構造となっている。
【０００４】
レバー３０ｘには、弾性を有する仮係止片３８ｘが設けられており、この仮係止片３８ｘでレバー３０ｘの中間位置を保持するようになっている（例えば、特許文献１参照）。
【特許文献１】特開２００３−２２８７２号公報（図１、図２）
【発明の開示】
【発明が解決しようとする課題】
【０００５】
上述した背景技術における従来例では、レバー３０ｘが相手側コネクタ１０ｘの相手ハウジング１１ｘとコネクタ２０ｘのハウジング２１ｘとの間の狭いすき間に配設されており、またレバー３０ｘには、これを中間位置で保持するために、仮係止片３８ｘが設けられており、この仮係止片３８ｘは、レバー３０ｘの回転中心軸方向に変位することになるので、仮係止片等の強度を十分とるためには、この仮係止片３８ｘを大きくする、あるいは、その板厚方向の厚さを厚くする必要があるものの、このレバー３０ｘが相手側コネクタ１０ｘの相手ハウジング１１ｘとコネクタ２０ｘのハウジング２１ｘとの間の狭いすき間に設けられているので、レバー３０ｘを大きくしたり、レバーの板厚を大きくとって、その強度を高くすることができない、という問題点がある。
【０００６】
本発明は、上述した背景技術の問題点に鑑みて、レバーの強度を十分高く保つことができるレバー式嵌合コネクタを提供することを課題とする。
【課題を解決するための手段】
【０００７】
上記の課題を達成するために、本発明は以下の各構成を有する。
本発明の第１の構成は、ハウジングに対して回動可能なレバーを有し、該レバーを特定方向へ回動することによって相手側コネクタと嵌合するレバー式嵌合コネクタであって、前記ハウジングは、コネクタの非嵌合時に前記レバーの前記特定方向への回動を係止するための前記レバーの板厚方向に変位する弾性仮係止片を有し、前記レバーは、嵌合完了時に前記レバーの逆回動を阻止するための爪部と、非嵌合時に前記弾性仮係止片によって前記特定方向への回動を係止される第１の係止片受凹部とを有し、前記弾性仮係止片が前記第１の係止片受凹部に係止している状態で、相手側コネクタとの嵌合を開始すると相手側コネクタの有する弾性仮係止片解除突起によって前記弾性仮係止片の前記第１の係止片受凹部における係止が解除され、嵌合のための前記レバーの前記特定方向への回動が可能となり、嵌合完了時には、前記レバーのいずれの方向への回動も阻止されることを特徴とするレバー式嵌合コネクタである。
【０００８】
本発明の第２の構成は、前記第１の構成において、前記レバーは、凹状の切り欠き部と、嵌合完了時に前記弾性仮係止片を収納する第２の係止片受凹部とを有することを特徴とするレバー式嵌合コネクタである。
【０００９】
本発明の第３の構成は、前記第１の構成又は第２の構成において、前記レバーが、その内部に嵌合検知用部材を保持し、嵌合時に相手側コネクタの有する嵌合検知用コンタクトが前記レバー内の嵌合検知用部材へ到達する通路を有し、嵌合完了時、相手側コネクタの前記嵌合検知用コンタクトが前記通路を経て前記レバー内の前記嵌合検知用部材へ到達し接触することにより電気的に嵌合完了の信号を発することのできる構造であることを特徴とするレバー式嵌合コネクタである。
【発明の効果】
【００１０】
本発明の第１の構成（基本構成）においては、ハウジングに設けられる弾性仮係止片はレバー部材の板厚方向に変位するものであり、レバーの弾性仮係止片を受け止める係止片受凹部は板厚方向の凹部であるので仮係止強度を十分に確保することができる。
このようにレバーの係止片受凹部は、従来のように板状部分の端部を切り欠くのではなく板厚方向の凹部となっているのでレバー自体の強度も強い。
また、弾性仮係止片をハウジングに設けているので変位量を大きくとれ、弾性仮係止片の強度を大きくする場合にもコネクタ自体を大きくすることなく対応できる。
【００１１】
本発明の第２の構成においては、レバーにコネクタ後方から出ている電線束との抵触を回避する凹状切り欠き部を有しているので、レバーをコネクタ後方から出ている電線束にかかる角度まで回動することができ、回動角度範囲を大きくとることができるという効果がある。
【００１２】
本発明の第３の構成においては、レバー内に嵌合検知用部材を有し、レバーを回動して嵌合が完全に終了したときに相手側コネクタの有する嵌合検知用コンタクトと電気的に接触するようになっているので、嵌合検知用部材と嵌合検知用コンタクト間の導通を電気的に確認することによって嵌合が完全になされたことの確認が可能となり信頼性の高いコネクタを提供できるという効果がある。
【発明を実施するための最良の形態】
【００１３】
上記各構成において、レバーの回動軸はコネクタの嵌合側とは反対側で左右いずれかに寄った位置に設け、挿入開始前においては、相手側コネクタの長手方向に対してほぼ直角に近い方向とし、挿入完了時には平行になるようにするのが最良の実施形態である。
またレバーには、コネクタの嵌合側とは反対側から延びる外部回路接続用電線の束線形状に合わせた切り欠きを設けるのが最良の実施形態である。
【実施例１】
【００１４】
次に本発明の実施例について図面を参照して説明する。
図１は本発明の実施例１を説明するための全体の斜視図、図２（ａ），（ｂ）はレバーの斜視図及び３面図、図３（ａ），（ｂ）はコネクタ２０のハウジング２１の斜視図及びＡ−Ａ断面を含む３面図、図４（ａ），（ｂ）は相手側コネクタ１０の相手ハウジング１１の斜視図及びＢ−Ｂ断面を含む３面図、図５（ａ），（ｂ）は相手側コネクタとコネクタの挿入前の側面図及び断面図、図６（ａ），（ｂ）はその嵌合中間状態の側面図及び断面図、図７（ａ），（ｂ）はその嵌合完了時の側面図及び断面図である。
【００１５】
本発明においては、主要構成部材が、相手側コネクタ１０、コネクタ２０、及びレバー３０の３点から成り、実施例１におけるこれら各構成部材は次の通りである。
相手側コネクタ１０は、図１及び図４（ａ），（ｂ）に示すように、内側に嵌合接続室１２が形成されてこの嵌合接続室１２には、複数本のピンコンタクト１３が配置固定されている外殻型の相手ハウジング１１を含む構造となっている。
コネクタ２０は、図１及び図３（ａ），（ｂ）に示すように、相手側コネクタ１０の嵌合接続室１２に挿入されて相手側コネクタ１０と嵌合し、複数のピンコンタクト１３と対応接続する複数のソケットコンタクトを備えており（図示省略）、これら複数のソケットコンタクトを保持するハウジング２１、及び外部回路に接続される接続用電線２２を含んで構成される。
【００１６】
またレバー３０は、図１及び図２（ａ），（ｂ）に示すように、コネクタ２０のハウジング２１内に回動可能なように保持され、このコネクタ２０が相手側コネクタ１０の嵌合接続室１２内に挿入された後回動して、コネクタ２０を相手側コネクタ１０の嵌合接続室１２内に押し込んで嵌合させ、複数のピンコンタクト１３と複数のソケットコンタクトとを対応接続する構造、構成となっている。
また、このレバー３０は、コネクタ２０の外部回路接続用の接続用電線２２部分に切り欠き部３１が形成されていて、このレバー３０がコネクタ２０の接続用電線２２で、その回転動作が妨げられないようにする構造となっている。
【００１７】
これら各構成について、図面を参照しながら更に詳しく説明する。
図１に示すように、コネクタ２０は、相手側コネクタ１０の嵌合接続室１２への挿入側とは逆方向に、外部回路への接続用電線が延びている。コネクタ２０のハウジング２１にレバー３０が回動可能なように保持されているのであるが、コネクタ２０が相手側コネクタ１０と確実に嵌合して複数のコンタクト同志（ピンコンタクト１３及びソケットコンタクト（図示省略））が互いに接続するように、レバー３０は、コネクタ２０のハウジング２１に対し、回動軸４１により回動可能なように保持されている。このレバー３０付きのコネクタ２０を、相手側コネクタ１０の嵌合接続室１２に挿入して、レバー３０を挿入方向に押し込むように回動させると、レバー３０が相手側コネクタ１０と結合してコネクタ２０を嵌合接続室１２内へ押し込んで、コネクタ２０の複数のソケットコンタクト（図示せず）と相手側コネクタ１０の複数のピンコンタクト１３とを対応接続する構造となっている。嵌合完了時には、爪部４２（図２、図８参照）が相手ハウジング１１に設けられた係止部（図示せず）と係合して、逆方向（挿入方向とは反対側）への回動が阻止される。係合を解除するには操作部４３を押圧しロックアーム４４を弾性変形させて行う。その嵌合動作手順が図５（ａ），（ｂ）〜図７（ａ），（ｂ）に示されている。
【００１８】
図５（ａ），（ｂ）は挿入前の図、図６（ａ），（ｂ）は挿入途中の図、図７（ａ），（ｂ）は挿入完了状態の図である。
図５（ａ），（ｂ）の挿入前では、レバー３０は、コネクタ２０のハウジング２１内で、弾性仮係止片３７により、ハウジング２１に対して、レバー３０が所定位置に仮係止されており、レバー３０が回動しないようになっている。
図６（ａ），（ｂ）に示す状態では、相手側コネクタ１０の弾性仮係止片解除突起４０により、コネクタ２０のハウジングに設けられた弾性仮係止片３７とレバー３０の第１の係止片受凹部３９との係止が解除され、レバー３０の回動が可能となる。
また、図７（ａ），（ｂ）に示す回動完了、嵌合完了状態では、レバー３０は相手側コネクタ１０の長手方向とほぼ平行になっており、弾性仮係止片３７の先端部分が第２の係止片受凹部４５に収納されている。このことにより、弾性仮係止片３７の変形を防ぐことができる。
【００１９】
なお、このレバー式コネクタでは、レバー３０が、コネクタ２０の外部回路との接続用の接続用電線２２引き出し部分に、切り欠き部３１を形成して、このレバー３０が、コネクタ２０内での回動動作が接続用電線２２で妨げられないようにしている。
【実施例２】
【００２０】
実施例２は、前述の実施例１に加えて、レバーに嵌合検知用部材が設けられ、また相手側コネクタに、嵌合検知用コンタクトが設けられた構成となっており、これらについて図８乃至図１０を参照しながら、更に詳細に説明する。
図８（ａ）は嵌合検知用部材３５をレバー３０内に挿入、配置する前の部分断面斜視図、図８（ｂ），（ｃ）はその挿入後の動作を説明するための部分断面側面図であり、図９（ａ），（ｂ）は嵌合検知用コンタクトを設けた相手側コネクタ１０ａであり、図１０（ａ），（ｂ）は嵌合検知用コンタクトが挿入される前後の嵌合検知用部材３５の動きを説明するための部分断面側面図である。
【００２１】
嵌合検知用部材３５は、弾性を有する導電性部材により、互いに連結された２つの接触部４６を有して、この接触部４６に、相手側コネクタ１０ａの２本の嵌合検知用コンタクト１５が接触、接続するようになっている。嵌合検知用コンタクト１５が、レバー３０ａ内に挿入されて嵌合検知用部材３５に接触できるように、レバー３０ａには、検知コンタクト用通路３６が形成されている。
また、相手側コネクタ１０ａには２本の嵌合検知用コンタクト１５が配置されているが、これら嵌合検知用コンタクト１５ａが良好にレバー３０ａの検知コンタクト用通路に挿入されるように、相手ハウジングで保持する構造となっている（図９及び図１０参照）。
【図面の簡単な説明】
【００２２】
【図１】本発明の実施例１を説明するためのレバー式嵌合コネクタ全体の斜視図である。
【図２】本発明の実施例１説明用のレバーの斜視図及び３面図である。
【図３】本発明の実施例１説明用のコネクタのハウジングの斜視図、及びＡ−Ａ断面を含む３面図である。
【図４】本発明の実施例１説明用の相手側コネクタの相手ハウジングの斜視図、及びＢ−Ｂ断面を含む３面図である。
【図５】本発明の実施例１説明用の嵌合挿入前の全体の側面図、及びＣ−Ｃ断面図である。
【図６】本発明の実施例１説明用の嵌合中間状態の全体の側面図、及びＤ−Ｄ断面側面図である。
【図７】本発明の実施例１説明用の嵌合完了状態の全体の側面図、及びＥ−Ｅ断面側面図である。
【図８】本発明の実施例２を説明するためのレバー部分の部分断面斜視図、及び部分断面側面図である。
【図９】本発明の実施例２を説明するための相手側コネクタ部分の主要部分の斜視図である。
【図１０】本発明の実施例２を説明するための嵌合検知用部材及び嵌合検知用コンタクトの関係を示す部分断面側面図である。
【図１１】本願の背景技術を説明するための全体の斜視図及び側面図である。
【符号の説明】
【００２３】
１０、１０ａ、１０ｘ  相手側コネクタ
１１、１１ｘ  相手ハウジング
１３  ピンコンタクト
１５  嵌合検知用コンタクト
２０、２０ｘ  コネクタ
２１、２１ｘ  ハウジング
３０、３０ａ、３０ｘ  レバー
３５  嵌合検知用部材
３６  検知コンタクト用通路
３７  弾性仮係止片
３９  第１の係止片受凹部
４０  弾性仮係止片解除突起
４１  回動軸
４２  爪部
４３  操作部
４４  ロックアーム
４５  第２の係止片受凹部
４６  接触部
【図１】
2008108467.tif 000003
【図２】
2008108467.tif 000004
【図３】
2008108467.tif 000005
【図４】
2008108467.tif 000006
【図５】
2008108467.tif 000007
【図６】
2008108467.tif 000008
【図７】
2008108467.tif 000009
【図８】
2008108467.tif 000010
【図９】
2008108467.tif 000011
【図１０】
2008108467.tif 000012
【図１１】
2008108467.tif 000013